Podtech/llm-jp-corpus-v4-ja_patent huggingface dataset:
(57)【要約】      （修正有）【課題】健康を損なうことなく、かつ節電を考慮して、熱中症事故を未然に防止する換気扇の自動運転装置を提供する。【解決手段】室内の温度を検知する温度検知素子と、該温度検知素子の出力により換気扇を一定時間運転する制御手段を備え、前記温度検知素子の検知温度が３０度以上のときに換気扇を駆動するようにした。【選択図】図１
0003175775.tif 000002
【実用新案登録請求の範囲】
【請求項１】
室内の温度を検知する温度検知素子と、該温度検知素子の出力により換気扇を一定時間運転する制御手段を備え、前記温度検知素子の検知温度が３０度以上のときに換気扇を駆動するようにしたことを特徴とする換気扇の自動運転装置。
【請求項２】
換気扇を３０分運転した後６０分間休止するようにしたことを特徴とする請求項１記載の換気扇の自動運転装置。
【考案の詳細な説明】
【技術分野】
【０００１】  本考案は、温度センサを用いて、室内の温度変化に対応して換気扇の駆動制御を行う換気扇の自動運転装置に関するものである。
【背景技術】
【０００２】  近年、地球温暖化が進み、熱中症事故が増加しており、屋外の炎天下における事故だけではなく、室内での熱中症事故も増加している。特に、後期高齢者や乳幼児は体温調整機能が低下し、暑さ感覚も低下しているため、水分補給も十分行わず、知らず知らずのうちに熱中症に陥る傾向が強い。【０００３】  このような熱中症事故を未然に防止する為に、保冷具を用いて身体を冷却したり、またエアコン等空気調整設備により室内温度を下げる事が行われている。
【考案の概要】
【考案が解決しようとする課題】
【０００４】  ところが、上記従来の方法は、特に後期高齢者や乳幼児にとっては、過剰冷房になって健康を損なうことがあり、また最近の原発事故のためにより一層の節電が叫ばれているが、エアコン等の空調設備はかかる節電の面でも課題がある。【０００５】  本考案は、上記課題に鑑みて成したもので、その目的とするところは、健康を損なうことなく、かつ節電を考慮して、熱中症事故を未然に防止する換気扇の自動運転装置を提供することにある。
【課題を解決するための手段】
【０００６】  請求項１の記載の考案は、室内の温度を検知する温度検知素子と、該温度検知素子の出力により換気扇を一定時間運転する制御手段を備え、前記温度検知素子の検知温度が３０度以上のときに換気扇を駆動するようにしたことを特徴とするものである。【０００７】  請求項２の記載の考案は、換気扇を３０分運転した後６０分間休止するようにしたことを特徴としたものである。
【考案の効果】
【０００８】  請求項１の記載の考案は、室内温度が熱中症に陥る温度を超えると自動的に換気扇を一定時間運転するようにしているので、熱中症事故を未然に防止でき、また換気扇による空気の換気により室内温度の上昇を防止するので、健康的であり、エアコンと比べて節電効果も大である。【０００９】  請求項２の記載の考案は、３０分運転を行い、６０分休止状態となる。部屋の容積にもよるが、１２畳までの部屋であれば３０分でおおまか排気される。省エネ（節電）と言う見地からもかなり有効である。
【図面の簡単な説明】
【００１０】
【図１】本考案の実施例を示すブロック図
【図２】同上のフローチャート
【考案を実施するための形態】
【００１１】  温度センサ１とガスセンサ２の複合体であり、まず優先順位として温度センサ１が検知をおこない、次にガスセンサ２が検知をおこなう。検知をおこなうと、負荷抵抗３が反応してその抵抗値が制御回路４にて状態を識別される。その後、出力回路５が開放されて接続状態となる。すると、換気扇６に電源１００Ｖが伝わり、運転をおこなう。
【００１２】  温度センサ１で使用環境下の温度が３０度になっておれば、検知を行う。すると換気扇６が運転を開始する。３０分間運転の開始を行う。
【００１３】  使用環境下の温度が３０度未満であれば、ガスセンサ２の判定が行われる。アルコール、一酸化炭素等で空気が汚れておれば、検知を行う。検知後、すぐ換気扇６が１０分間運転を開始する。１０分後、空気の汚れが無いかの判定を行うシステムとなっている。
【００１４】  １０分後、ガスセンサ２が空気の汚れを感知すれば、さらに１０分間換気扇６が運転モードとなり、引き続き運転を継続する事となる。
【００１５】  すなわち、まずは温度で判定を行い、次に空気の汚れで判定をおこなうことである。
【符号の説明】
【００１６】１    温度センサ
２    ガスセンサ
３    負荷抵抗
４    制御回路
５    出力回路
６    換気扇
【図１】
0003175775.tif 000003
【図２】
0003175775.tif 000004
(57)【要約】      （修正有）【課題】ゴムの変形反発力を利用して、締め付け強度を半固定から固定まで調整できる構造としたノブボルトを提供する。【解決手段】ノブボルトにおいて、ボルト７の先端部から内部に可動圧縮棒５とゴム６を入れた構造とし、可動圧縮棒５のゴム６との接触部にくぼみ９を形成し、又はボルト７のゴム６との接触部に隙間１０を形成する。構造部材を固定する為に可動圧縮棒５がボルト７内部に押された時、ゴム６が変形してくぼみ又隙間に入り込み、ゴムの変形反発力で可動圧縮棒５を押し返すことにより構造部材を半固定することができる。更に強く力が加わるとくぼみ９又は隙間１０が無くなり、構造物を固定することもできる。【選択図】図２
0003175774.tif 000002
【実用新案登録請求の範囲】
【請求項１】
ノブボルトにおいて、ボルト（図２の７）内に可動する可動圧縮棒（図２の５）とゴム（図２の６）を構成する構造で、構造部材を固定する為に
可動圧縮棒（図２の５）がボルト（図２の７）内部に押された時、ゴム（図２の６）が変形して、くぼみ（図２の９）や隙間（図２の１０）に入り込み、
ゴム（図２の６）の変形反発力で構造部材を半固定することができ、かつ更に強く力が加わるとくぼみ（図２の９）や隙間（図２の１０）が無くなり、
構造物を固定することもできるノブボルト。
【考案の詳細な説明】
【技術分野】
【０００１】
本考案は、ノブボルトの締め付け強度を、半固定から固定まで調整できるものである。
【背景技術】
【０００２】
従来のノブボルトは構造部材可動部（図１の１）と構造部材固定部（図１の２）を締め付け固定する場合は、
【０００３】
ボルト部分（図１の３）と、握る部分（図１の４）でできているノブボルトを、手で回して締め付ける必要があり、
【０００４】
締め付け強さが弱いと、使用中に緩んでしまう欠点があった。
【０００５】
また固定を避けて自在に動くように半固定とするには難しかった。
【考案の概要】
【考案が解決しようとする課題】
【０００６】
ノブボルトの締め付け強度を、半固定から固定まで、調節できる物であることが課題である。
【課題を解決するための手段】
【０００７】
この改善策として、ボルト（図２の７）の先端部から内部に、可動圧縮棒（図２の５）とゴム（図２の６）を入れた構造にすることにより、
【０００８】
可動圧縮棒（図２の５）が、内部に押されたとき、ゴム（図２の６）が圧縮され反発力が発生して締め付けができる。
【０００９】
また締め付け力を増して行くと、ゴム（図２の６）が徐々に変形し、可動圧縮棒（図２の５）のくぼみ部分（図２の９）に入り込み、
くぼみ（図２の９）に充満するまで、半固定状態の締め付け強さが発生できる。
【００１０】
ボルト（図２の７）の内部の隙間（図２の１０）は、くぼみ部分（図２の９）と同じ役目を果たす。
【図面の簡単な説明】
【００１１】
【図１】図１は従来のノブボルト断面構造図である。
【図２】図２は本考案の半固定ノブボルト断面構造図である。
【図３】図３はパイプ構造物を接続する説明図である。（実施例）
【実施例】
【００１２】
２重構造のパイプを接続する場合、
可動パイプ（図３の１２）は、固定パイプ（図３の１４）の中にあり、
雌ねじ部品（図３の１３）が、固定パイプ（図３の１４）に接続されており、
雌ねじ部品（図３の１３）に本考案のノブボルトを取り付け、手で握る部分（図３の１５）を回し、回し強さを調節すると、
可動パイプ（図３の１２）が半固定から、固定まで可動する力を調節できる構造である。
【図１】
0003175774.tif 000003
【図２】
0003175774.tif 000004
【図３】
0003175774.tif 000005
【手続補正書】
【提出日】平成24年3月14日(2012.3.14)
【手続補正１】
【補正対象書類名】実用新案登録請求の範囲
【補正対象項目名】請求項１
【補正方法】変更
【補正の内容】
【請求項１】
ノブボルトにおいて、ボルトの先端部から内部に可動圧縮棒とゴムを入れた構造とし、
可動圧縮棒のゴムとの接触部にくぼみを形成し、又はボルトのゴムとの接触部に隙間を形成し、
構造部材を固定する為に可動圧縮棒がボルト内部に押された時、ゴムが変形してくぼみ又隙間に入り込み、
ゴムの変形反発力で可動圧縮棒を押し返すことにより構造部材を半固定することができ、
更に強く力が加わるとくぼみ又は隙間が無くなり、構造物を固定することもできるノブボルト。
(57)【要約】      （修正有）【課題】入浴時の要介護者、介護者両方の体力的負担を軽減し、更に浴槽内での要介護者の身体の浮き、滑り込み、回転するなど危険性を低減する要介護者用スライド式洗浄台兼移動用ストレッチャーを提供する。【解決手段】底面に移動車輪のレール部分１５イ、１５ロを配し、上部に洗浄台はずれ防止部分１４イ、１４ロを設けた移動車輪のレール兼はずれ防止カバーを、洗浄台兼用移動用ストレッチャーの上に取り付ける。【選択図】図２
0003175773.tif 000002
【実用新案登録請求の範囲】
【請求項１】
図１の移動車輪のレール兼はずれ防止カバーの底面に、移動車輪のレール部分（１５い〜１５ろ）を配し、上部には洗浄台はずれ防止部分（１４い〜１４ろ）を設けた移動車輪のレール兼はずれ防止カバーを、図４の洗浄台兼移動用ストレッチャーの上に取り付け、防止カバーの中に移動車輪を取り付けた、洗浄台を滑り込ませた状態で身体洗浄、洗髪、移動が出来るのを特徴とする要介護者用スライド式洗浄台兼移動用ストレッチャー。
【考案の詳細な説明】
【技術分野】
【０００１】本考案は入浴時に身体を持ち上げるなど要介護者に与える負担を軽減し、車輪付の台で移動しながら入浴、身体洗浄、洗髪ができる洗浄台兼移動用ストレッチャー。
【背景技術】
【０００２】従来は入浴時、要介護者を浴槽に吊り下げるか、介護者が抱きかかえて移動し、浴槽内に誘導するのが現状である。要介護者にとっては痛みを伴う苦痛があり、体力的にも大きな負担になっている。
【先行技術文献】
【０００３】実登３０２０４３８
【考案の概要】
【考案が解決しようとする課題】
【０００４】入浴時の要介護者、介護者両方の体力的負担を軽減し、更に浴槽内での要介護者の身体の浮き、滑り込み、回転するなど危険性を解決する。
【課題を解決するための手段】
【０００５】洗浄台兼移動用ストレッチャーの上に、移動車輪のレール兼はずれ防止カバーを、取り付け、カバーの中に洗浄台を滑り込ませた状態で、更衣室、ベットに横付けし要介護者が横になったままで、上体固定ベルトを着用し、移動することができる。
【考案の効果】
【０００６】高齢者や寝たきりになった要介護者にとって身体を清潔に保ち、健康的にも精神的にも、極めて有意義な意味を持ち、短時間で入浴ができ満足感を与える。要介護者、介護者の両方にとっても負担の少ない入浴方法。
【図面の簡単な説明】
【０００７】
【図１】移動車輪のレール兼はずれ防止カバー断面図。
【図２】移動車輪のレール兼はずれ防止カバー平面図。
【図３】移動車輪のレール兼はずれ防止カバー斜図
【図４】移動車輪のレール兼はずれ防止カバーを取り付けた、洗浄台兼移動用ストレッチャー側面図。
【図５】洗浄台兼移動用ストレッチャー断面図。
【図６】浴槽上の入浴台より連結台上で洗浄台兼移動用ストレッチャーに移動した洗浄台。
【実施例】
【０００８】洗浄台兼移動用ストッレチャーの素材に関して木製、アルミニューム、プラスチック、アルミニューム、チタンなど軽くて丈夫な素材を用いる。
ストレッチャー車輪（３２）については、台を押したり引いたり固定の場所に押し付けたりする場合がある為、車輪が３６０度回転するものを使用する。
洗浄台滑り止めピン（３３）はストレッチャー移動の際、台と固定する必要がある、上から差し込む方法の他に、移動の際、両側に着く介護人が即時目に付くようにベルト、バネ方式使用しやすいものを選ぶ。
【考案を実施するための形態】
【０００９】図１は移動車輪のレール兼はずれ防止カバー断面図であるが、底面に洗浄台下部に取り付ける移動車輪（７イ〜７ノ）のレール部分（１５イ〜１５ロ）配置し、中に滑り込む洗浄台を包み込むように両脇を立ち上げ、上部を折り曲げ、洗浄台はずれ防止部分（１４イ〜１４ロ）とする。
【００１０】身体洗浄をかねているため余分な湯、水滴を切る目的で水抜き穴（３４）を設ける。
【００１１】図４は洗浄台兼移動用ストレッチャーの上に、移動車輪のレール兼はずれ防止カバー［図３］を取り付け、中に洗浄台を滑り込ませた状態、ストレッチャーの移動時には洗浄台を固定する、洗浄台滑り止めピン（３３）を差し込む。
【００１２】洗浄台兼移動用ストレッチャー断面図であるが、洗浄台（１い）を前後させる目的で洗浄台もち手（３イ〜３ロ）を取り付け、移動車輪のレール兼はずれ防止カバーの、両脇を立ち上げた部分に、洗浄台側面誘導車輪（６イ〜６チ）が触れることで台がスムーズに動く。
【００１３】図６は浴槽上より、浴槽ストレッチャー連結台上で、洗浄台兼移動用ストレッチャーに移動した洗浄台である。台の上で身体洗浄、シャンプー枕（２８）を当て洗髪を済ませた後、再度浴槽上に戻り入浴をする。
本考案は要介護者用スライド式入浴装置と一対として利用する。
【産業上の利用可能性】
【００１４】本考案は家庭の中で要介護者を、入浴させるのは大変困難な問題である。家庭内で入浴させようとすると不可能に近い。介護の大変さは入浴問題を取り除けば６０パーセント以上解消される。現在では各家庭に風呂が完備されているため、町内の銭湯なるものが消えていく。この銭湯で専門の要介護者用、入浴場が出来れば、その場に連れて行くことで３−４日ごとに一回入浴できる。また入浴場にこのセットが５組７組あれば洗い場で働く人、送迎する人、日程を組む人など、仕事の無い人も働く場ができる。更に要介護者の立場から１日中横になっているため入浴は２４時間いつでもよいし、湯上りで化粧もしないので人目に触れたくないときもあり人に会うことのない時間帯を希望する。看護する家人にとっても自分の生活に必要な生活費を得なければならない。仕事を終えてからの入浴はお互いに良い結果につながる。入浴という問題は介護の最大のポイントである。入浴した要介護者は健康的にも精神的にも穏やかになり、人間関係もうまくいくキッカケになる。
【符号の説明】
【００１５】１４イ〜１４ロ、洗浄台はずれ防止部分
１５イ〜１５ロ、洗浄台下部に取り付ける移動車輪のレール部分
２８、シャンプー枕
２９  上体固定ベルト
３０  浴槽、ストレッチャー連結台
３１  ストレッチャー補強板
３２  ストレチャー車輪
３３、洗浄台滑り止めピン
３４、洗浄時の水抜き穴
【図１】
0003175773.tif 000003
【図２】
0003175773.tif 000004
【図３】
0003175773.tif 000005
【図４】
0003175773.tif 000006
【図５】
0003175773.tif 000007
【図６】
0003175773.tif 000008
【手続補正書】
【提出日】平成24年3月8日(2012.3.8)
【手続補正１】
【補正対象書類名】実用新案登録請求の範囲
【補正対象項目名】全文
【補正方法】変更
【補正の内容】
【実用新案登録請求の範囲】
【請求項１】
移動車輪のレール兼はずれ防止カバーの底面に、移動車輪のレール部分（１５イ、１５ロ）を配し、上部には洗浄台はずれ防止部分（１４イ、１４ロ）を設けた移動車輪のレール兼はずれ防止カバーを、洗浄台兼移動用ストレチャーの上に取り付け、防止カバーの中に移動車輪を取り付けた洗浄台を滑り込ませた状態で身体洗浄、洗髪、移動が出来るのを特徴とする要介護者用スライド式洗浄台兼移動用ストレッチャー。
(57)【要約】      （修正有）【課題】吸水力を高め、フックに掛けられる手拭きタオルや、よだれを受け止めるおもちゃホルダーとしても使用できるよだれかけを提供する。【解決手段】片方はタオル地の正方形の布地を２枚重ね縫い、正方形の一つの角近傍に係止した２つ折りのリボンテープとクリップからなる留具を、三角形に折った状態で対角近傍に留めて乳幼児の首にかけて使うよだれかけである。実質４枚重ねであることから吸水力が高まった。また、２つ折りのリボンテープを輪にして、室内ではフックにかけて手拭きタオルとしても使うことができ、外出時では、カバンの持ち手あるいはポケットなどに留めれば落下防止機能付きの手拭きタオルとしても活用できる。また、そのクリップをおもちゃやおしゃぶりなどに回してリボンテープに留めれば、よだれを受け止めるおもちゃホルダーとしても使用できる。【選択図】図３
0003175776.tif 000002
【実用新案登録請求の範囲】
【請求項１】
正方形の一つの角近傍に対角線を係止する留具を有することを特徴とするよだれかけ
【請求項２】
前記留具は、リボンテープとクリップからなることを特徴とする請求項１に記載のよだれかけ
【請求項３】
前記留具のリボンテープが輪になっていることを特徴とする請求項２に記載のよだれかけ
【考案の詳細な説明】
【技術分野】本考案は吸水力を高めたよだれかけが、フックに掛けられる手拭きタオルや、よだれを受け止めるおもちゃホルダーとしても使用できるよだれかけに関するものである。
【背景技術】
【０００１】従来のよだれかけは、使用して数時間でよだれを吸い切ってしまい、日に複数回取り換える必要がある。また、形が円弧状や扇形状の立体的なよだれかけや、使い捨てのものなど様々あるが、その多くがよだれかけとしてのみの役割を果たすものである。
【先行技術文献】
【０００２】
【特許文献】
【特許文献】  実願平５−７６８８１  実願平５−４３０８４
【考案が解決しようとする課題】
【０００３】従来のよだれかけは、日に複数回取り換え、洗濯物が増える傾向にあった。また、よだれかけに留まらず手拭きなど日常的に吸水力に富むタオルが必要で、それら複数の用途にひとつで対応できると尚望ましい。外出時の持ち物を減らし、洗濯物の軽減に努めた。
【課題を解決するための手段】
【０００４】正方形の一つの角近傍に対角線を係止する留具を有することを特徴とするよだれかけで、前記留具はリボンテープとクリップからなることを特徴とし、そのリボンテープは輪になっている。
【考案の効果】
【０００５】従来のよだれかけに比べ厚手で吸水力が高まったので、よだれやジュースなどが洋服に浸透することがない。また手拭きにも使えることから、外出時の手荷物の軽減や、洗濯物の量を減らすこともできる。
【図面の簡単な説明】
【０００６】
【図１】本考案の一実施例の平面図
【図２】本考案の一実施例の側面図
【図３】よだれかけとして使用する状態
【図４】乳児に着用しよだれかけとして使用している前面の状態
【図５】乳児に着用しよだれかけとして使用している背面の状態
【図６】輪をフックにかけてループ付きタオルとして使用した状態
【図７】よだれを受け止めるおもちゃホルダーとして使用している状態
【考案を実施するための形態】
【０００７】本考案の形態は、正方形のタオル地と正方形の綿地を重ねて縫い合わせ、正方形の一つの角近傍にリボンテープとクリップからなる留具を縫いつけた。よだれかけとして使用する際には、三角形に折って乳幼児の首に回し、留具を対角近傍に留めて使用する。また別の用途として、リボンテープが輪になっているので、室内ではフックに引っかけて手拭きタオルとしても使える。外出時にはカバンの持ち手にリボンテープとクリップを挟んで、落下防止機能付きのタオルとしても使うことができる。または、リボンテープとクリップを乳幼児のおもちゃやおしゃぶりに留めれば、よだれを受け止めるおもちゃホルダーとしても使うことができる。
【符号の説明】
【０００８】１  よだれかけ本体
２  クリップ付きリボンテープ
３  タグ
４  よだれかけ本体
５  クリップ付きリボンテープ
【図１】
0003175776.tif 000003
【図２】
0003175776.tif 000004
【図３】
0003175776.tif 000005
【図４】
0003175776.tif 000006
【図５】
0003175776.tif 000007
【図６】
0003175776.tif 000008
【図７】
0003175776.tif 000009
(57)【要約】      （修正有）【課題】元素周期表の元素番号、元素記号、名称、原子量などを立体構造体上に記すことで、学習し易くした元素周期表を提供する。【解決手段】上梁材と下梁材（土台）を１８本の縦軸（桁）で連結し、元素周期表の各元素を１個の立方体で表し、立方体の４つの側面に当該元素の異なる内容を表記し、前記の各縦軸（桁）に元素周期表の各族に属する複数の立方体を緩挿して立体くるくる元素周期表を構成する。【選択図】図３
0003175789.tif 000002
【実用新案登録請求の範囲】
【請求項１】
上梁材と下梁材（土台）を１８本の縦軸（桁）で連結し、元素周期表の各元素を１個の立方体で表し、各立方体の４つの側面に当該元素の異なる内容を表記し、前記の各縦軸（桁）に元素周期表の各族に属する複数の立方体をくるくる回るように串刺しにしたことを特徴とする立体くるくる元素周期表。
【請求項２】
縦軸（桁）列の側端に周期板を設け、該周期板に各立方体の周期を表示するように構成した請求項１に記載の立体くるくる元素周期表。
【請求項３】
各縦軸（桁）に串刺しされた立方体の間にスペーサーを設け、さらに最上部の立方体の上面と最下部の立方体の下面には取り外し可能な固定スペーサーを設けたことを特徴とする請求項１または請求項２に記載した、立体くるくる元素周期表。
【請求項４】
下梁材を平面視で幅広にしたことを特徴とする請求項１、請求項２または請求項３に記載した、立体くるくる元素周期表。
【考案の詳細な説明】
【考案の概要】
【考案が解決しようとする課題】
【０００１】書物やポスターで出回っている従来の元素周期表は元素番号・元素名、元素記号、原子量などが同じマス目の中に全て記入されており、それらを覚えるには指で隠したり、ノートなどに書き写す必要があった。本考案は、その難点を解決することを課題とする。
【課題を解決するための手段】
【０００２】周期表を立体構造にして、各元素の異なる内容を立方体の４つの面に分けて記載し、それぞれの内容が同時に見えないようにした。立方体を回転させることで各面に記入されている内容を個別に確認することを可能にした。この仕掛けにより一人で周期表をクイズ形式で楽しみながら覚えることが出来るようになった。また、２人が立体くるくる周期表を挟んで向かい合うことで、お互い問題を出し合って遊ぶこともできる。
【考案の効果】
【０００３】・従来の元素周期表では平面の表の一マスに原子番号・元素名（日本語・英語表記）、元素記号、原子量、（身近な用途）を表記しているが、立方体の各面に異なる内容が表記されているから、正面から見ると同時に見えないようになる。
・立方体を「族」ごとに縦軸（桁）で串刺しにして、各元素が独立して縦軸回転することで、一人でクイズ形式に覚えることができる。例えば図２についていえば、元素記号「Ａｌ」を見て、元素名「アルミニウム」を当てる。そうすれば覚えた元素記号を手がかりにして、元素名や用途など簡単に覚えることができる。
・一つの「族」に属する元素のすべてが１本の縦軸で表現される。したがって、元素と族の関係がより明白に理解することができる。縦軸に並んだ立方体を見るとそれらの原子は化学的に非常に似かよった性質をもつものであることが一目でわかる。
・各立方体をくるくる回すと各元素の異なる内容が表に現れる。したがって、２人が立体くるくる周期表を挟んで向かい合うことで、お互い問題を出し合って遊ぶこともできる。
・各縦軸（桁）に串刺しされた立方体の間にスペーサーを設けることで立方体が個々に独立して回ることができる。
・本考案の周期表はそろばん状の全体形状をもっているから、持ち運びや収納も容易にできる。【０００４】・縦軸（桁）の側端に周期板を設けると、図３（ａ）に示すように各立方体をその周期に合わせて横１列に並べることが容易にできる。そのように配列すると例えば、３の数字の横一列に並べられた立方体を見ると、その原子の原子殻は皆３個であると一目でわかる。又、各原子についてその族と周期の関係もきわめて容易に理解することができる。【０００５】・各縦軸（桁）に串刺しされた立方体の間にスペーサーを設け、さらに最上部の立方体の上面と最下部の立方体の下面には取り外し可能な固定スペーサーを設け、自分で周期表を組み上げ、又は分解することができる。したがって、立体パズルや積み木のように遊ぶことができる。【０００６】・下梁材（土台）を平面視で幅広にすると、立体くるくる元素周期表が独立して立つことができる。したがってそれを机の上などに立たせておいて一人で見たり、立たせた状態で立体パズルのようにそれをはさんで二人で遊ぶこともできる。
【図面の簡単な説明】
【０００７】
【図１】従来の元素周期表の表記方法を示す。
【図２】（ａ）は『立体くるくる元素周期表』の１個の元素の一実施形態を示す展開図である。（ｂ）はその斜視図である。
【図３】（ａ）は『立体くるくる元素周期表』の一実施形態の全体像を示す写真である。（ｂ）はスペーサーと固定スペーサーを示す斜視図である。
【実施例】
【０００８】・縦軸にはスチール、木材、竹材、プラスチック、樹脂を用いることができる。
・立方体には木材、プラスチック、ボール紙、スポンジ、ゴム類、樹脂、金属を用いることができる。
・上下梁材にはスチール、木材、プラスチック、樹脂、スチレンボード、ゴム類、金属を用いることができる。
・周期板には木材、プラスチック、樹脂、スチレンボード、金属を用いることができる。
・表示には紙シール、塩ビ化粧シート、インクジェット印刷シートを用いることができる。
・スペーサーにはスチール、樹脂、木材、ゴム類、金属を用いることができる。
【図１】
0003175789.tif 000003
【図２】
0003175789.tif 000004
【図３】
0003175789.tif 000005
(57)【要約】      （修正有）【課題】低コストで軽油の製造ができる軽油製造装置を提供する。【解決手段】ミキシングブレンダーの下流に脱硫装置を設置する。【選択図】図−１
0003175783.tif 000002
【実用新案登録請求の範囲】
【請求項１】
原油とナフサ及びその他のオイルを混ぜるミキシングブレンダーとその下流に脱硫装置を設置したことを特徴とする軽油製造装置。
【考案の詳細な説明】
【技術分野】
【０００１】本発明は、軽油製造に関して蒸留、及び減圧蒸留等の過程を通らなくても、低コストで軽油の製造が出来るもので、原油に需要がだぶつき気味のナフサやケロシン等のオイルをブレンドさせて軽油の性状にブレンドして脱硫するというやり方である。
【背景技術】
【０００２】従来の方法では、コストが、かかり過ぎてしかも運転調整で他の採取する半製品とのバランスが、あって調整が難しかった。
【考案の概要】
【考案が解決しようとする課題】［運転コストの低い軽油を市場に提供出来る。］
【課題を解決するための手段】［軽油製造装置を設置する］
図−１参照
【考案の効果】［ありとあらゆるコストダウンが、はかれる運転の簡素化。］
【図面の簡単な説明】［原油とナフサ及びその他のオイルをブレンドするミキシングブレンダーと下流に脱硫セクションを配した平面図である］【図−１】原油とナフサ及びその他のオイルをブレンドするミキシングブレンダーと下流に脱硫セクションを配した平面図である］
【考案を実施するための形態】
［原油とナフサ及びその他のオイルをブレンドするミキシングブレンダーと下流に脱硫セクションを配置する］
【産業上の利用可能性】［軽油の値段からも混合的採取の理論からも安価で製品が採取出来  利用可能性は高い］
【図−１】
0003175783.tif 000003
(57)【要約】      （修正有）【課題】軽量で、専用重機を必要とせずに架台用基礎を設置出来、かつ撤去も容易な架台用基礎を提供する。【解決手段】複数個の斜めに開いた通し穴６とカバー止めナット５と架台固定部２を持つ台座１と、複数個の打ち込みピン７及びピン抜け防止カバー３と、台座１とピン抜け防止カバー３を固定するカバー止めボルト４を持つ。【選択図】図１
0003175814.tif 000002
【実用新案登録請求の範囲】
【請求項１】
打ち込みピンを使用した架台用基礎において、打ち込みピンの上部にピン抜け防止カバーを取り付けられる構造を持つ架台用基礎。
【考案の詳細な説明】
【技術分野】
【０００１】  本発明は、架台用基礎に関するものである。
【背景技術】
【０００２】  太陽光パネルなどの架台は風などで飛ばされないよう、地面にしっかりと固定する必要がある。この架台と地面とを固定する為に、一般に架台用基礎を用いる。従来、架台用基礎には、コンクリート製架台を用いる在来工法、ウイングパイルを地面に垂直に打ち込むウイングパイル工法、１つの架台用基礎に数本の打ち込みピンを斜めに打ち込むダイアモンドピアー工法などがある。在来工法を図３に、ウイングパイル工法を図４に、ダイアモンドピアー工法を図５に示す。
【考案の概要】
【考案が解決しようとする課題】
【０００３】コンクリート製架台を用いる在来工法は架台を埋めるための堀削が必要であり、重量物なので運搬に手間がかかった。また、撤去する場合も同様に手間がかかった。【０００４】ウイングパイル工法はパイルの打ち込みに専用の重機が必要であり、設置に手間がかかった。また、撤去にも同様の重機が必要となり、手間がかかった。【０００５】ダイアモンドピアー工法はこれらの問題を改善した工法であるが、打ち込みピンは打ち込んだ方向と反対の方向に抜けやすいという問題が残った。また、打ち込みピンが抜けないように、打ち込みピンをセメントなどで架台に固定してしまうと、各打ち込みピンと架台用基礎台座が一体となってしまい、撤去に手間がかかった。
【課題を解決するための手段】
【０００６】複数個の斜めに開いた通し穴（６）とカバー止めナット（５）と架台固定部（２）を持つ、セメントあるいは硬質樹脂などによりなる台座（１）と、防錆処理を施した金属あるいは硬質樹脂よりなる複数個の打ち込みピン（７）と、防錆処理を施した金属あるいは硬質樹脂よりなるピン抜け防止カバー（３）と、台座（１）とピン抜け防止カバー（３）を固定するカバー止めボルト（４）を持つ。
本考案は、以上の構成よりなる架台用基礎である。
【考案の効果】
【０００７】  本考案の架台用基礎は細くて軽い複数本の打ち込みピン（７）をハンマーなど簡単な工具で斜めに地面に打ち込む事により台座（１）を地面に固定する。この為、台座（１）の固定に重機などは必要無い。また、台座（１）は斜めに打ち込まれた複数個の打ち込みピン（７）により地面に固定する為、台座（１）そのものは軽量で良いため、可搬性が良い。また、打ち込みピン（７）はピン抜け防止カバー（３）により固定されるため、使用中に抜けたり、ゆるんだりすることが無い。撤去時はピン抜け防止カバー（３）を外した後、打ち込みピン（７）を１本ずつ抜けば良く、専用重機を用いなくとも簡単に撤去することが出来る。
【図面の簡単な説明】
【０００８】
【図１】本考案の架台用基礎の斜視図
【図２】本考案の架台用基礎の実施例の斜視図
【図３】一般の在来工法による架台の固定図
【図４】一般のウイングパイル工法在来工法による架台の固定図
【図５】一般のダイアモンドピアー工法在来工法による架台の固定図
【考案を実施するための形態】
【０００９】  以下、考案の実施例を説明する。
セメントあるいは硬質樹脂などによりなる台座（１）の架台固定部（２）にゴムシートなどによりなる固定クッション（８）を介して、単管パイプあるいは角パイプなどの水平パイプ（９）を設置し、複数個の斜めに開いた通し穴（６）に防錆処理を施した金属あるいは硬質樹脂よりなる複数個の打ち込みピン（７）を挿し、地面に打ち込む。この後、打ち込みピン（７）の上面に、防錆処理を施した金属あるいは硬質樹脂よりなるピン抜け防止カバー（３）をかぶせ、カバー止めボルト（４）及びカバー止めナット（５）を用いて、台座（１）に固定する。このピン抜け防止カバー（３）により、打ち込みピンは抜けることが無い。なを、水平パイプ（９）はクランプ（１１）などにより垂直パイプ（１９）と固定されており、太陽光パネルなどの架台の一部を形成する。
【００１０】撤去する場合は、カバー止めボルト（４）を外して、ピン抜け防止カバー（３）を取り、打ち込みピン（７）を１本ずつ抜き取る。ピン抜け防止カバー（３）が無いので、容易に打ち込みピン（７）を抜くことが出来る。また、台座（１）と水平パイプ（９）を外すことが出来る。
【符号の説明】
【００１１】  １  台座
２  架台固定部
３  ピン抜け防止カバー
４  カバー止めボルト
５  カバー止めナット
６  通し穴
７  打ち込みピン
８  固定クッション
９  垂直パイプ
１０  水平パイプ
１１  クランプ
【図１】
0003175814.tif 000003
【図２】
0003175814.tif 000004
【図３】
0003175814.tif 000005
【図４】
0003175814.tif 000006
【図５】
0003175814.tif 000007
(57)【要約】【課題】この考案は、牡蠣等の二枚貝の中身を焼き過ぎることなく、衛生的で、安全でしかも、中身が柔らかく美味しい焼き牡蠣を調理する二枚貝の焼き具を開発・提供する事にある。【解決手段】二枚貝を焼く道具セットであって、熱源を有する燃焼器（１）と、該燃焼器（１）の上に載置するアミ、あるいは、板材に穴を無数に開けた敷板（２）と、該敷板（２）を覆う被覆材（３）からなることを特徴とする二枚貝の焼き具から構成されるものである。【選択図】  図２
0003175820.tif 000002
【実用新案登録請求の範囲】
【請求項１】
二枚貝を焼く道具セットであって、熱源からなる燃焼器（１）と、該燃焼器（１）の上に、アミ板、あるいは、板材に無数の穴を開けた敷板（２）と、該敷板（２）を覆う被覆材（３）からなることを特徴とする二枚貝の焼き具。
【考案の詳細な説明】
【技術分野】
【０００１】
この考案は、二枚貝の焼き具であって、特に、牡蠣焼き道具に関するものである。
【背景技術】
【０００２】
従来、二枚貝の一種である牡蠣は、海の幸、海のミルクと呼ばれ、ビタミンＢ１、Ｂ２などのビタミンや亜鉛等のミネラル、タウリン、牡蠣グリコーゲンを含む食品であり、牡蠣のたんぱく質は、全ての必須アミノ酸と同時に１２種類以上の他のアミノ酸を併せ持っている良質の食品である。
【０００３】
また、その牡蠣の調理方法は、牡蠣釜飯、牡蠣フライをはじめ、種々の調理方法があり、特に、牡蠣を焼いて調理するという焼き牡蠣は、調理中に海の香りがただよい匂いが特によく、調理方法のうち、一番、美味しい調理方法である。
【０００４】
しかし、焼き牡蠣は、身が固くならないうちに、調理を止めるため牡蠣の内部まで熱が入らない場合が多く、体調によっては、ノロウィルスや他の細菌等に感染してしまう場合もあり、また、充分に熱を入れると牡蠣の身が固くなり美味しさに欠けるものであった。  
【０００５】
通常、牡蠣等の二枚貝は、アミの上に載置して焼くものである。例えば、特許文献１のように。
【先行技術文献】
【特許文献】
【０００６】
【特許文献１】特開２０１１−４９１８号公報
【０００７】
しかし、この加熱調理器は、網部と網部を支持する載置台しかなく、従って、牡蠣を焼く場合、身が固くなる程相当時間熱を入れないとノロウィルスや他の細菌は死滅しないものであり、熱を入れすぎると身が固くなり、美味しく食することはできないものである。
【考案の開示】
【考案が解決しようとする課題】
【０００８】
そこで、上記課題を解決する為に、この考案は、牡蠣等の二枚貝の中身を焼き過ぎることなく、衛生的で、安全でしかも、中身が柔らかく美味しい焼き牡蠣を調理する二枚貝の焼き具を開発・提供する事にある。
【課題を解決するための手段】
【０００９】
課題を解決するための手段として、本考案は、二枚貝である牡蠣を焼く際に、上蓋をして焼くこともできる二枚貝の焼き具である。
【考案の効果】
【００１０】
本考案の効果によると、アミ、あるいは、板材に穴を無数に開けた敷板（２）の上に牡蠣（Ｘ）を載置した後、該牡蠣（Ｘ）の上部に、被覆材（３）で覆うことにより、高温で牡蠣（Ｘ）の中身まで熱が入り、安全で衛生的であり、また、敷板（２）がアミあるいは穴を無数に開けており、下方に通気しており、牡蠣が蒸し焼きになることがない。
【００１１】
さらに、被覆材（３）で被覆することにより、牡蠣の煮汁が周囲に飛ぶことがないため、火傷等の恐れもなく、安全に、焼き牡蠣の味を充分に楽しめる等の極めて有益なる効果を奏するものである。
【図面の簡単な説明】
【００１２】
【図１】この考案の一実施例を示す斜視図である。
【図２】この考案の使用状態を示す一実施例を示す一部欠截正面図である。
【考案を実施するための最良の形態】
【００１３】
この考案を実施するための最良の形態として、二枚貝を焼く道具セットであって、熱源を有する燃焼器（１）と、該燃焼器（１）の上に、アミ、あるいは、板材に穴を無数に開けた敷板（２）と、該敷板（２）を覆う被覆材（３）からなることを特徴とする二枚貝の焼き具から構成されるものである。
【実施例】
【００１４】
そこで、この考案の一実施例を図１〜図２に基づいて詳述すると、二枚貝を焼く道具セットであって、熱源からなる燃焼器（１）と、該燃焼器（１）の上に載置するアミ、あるいは、板材に穴を無数に開けた敷板（２）と、該敷板（２）を覆う被覆材（３）からなることを特徴とする二枚貝の焼き具から構成されるものである。
【００１５】
なお、熱源を有する燃焼器（１）とは、炭火を入れた七輪、ガスコンロ、電熱器、薪等をいい、８５°Ｃから１，３００°Ｃが最適である。
【００１６】
敷板（２）は、図１では、アミを示したが、もちろん、鉄板に適宜な大きさの穴を無数開けたものであってもよい。
【００１７】
また、被覆材（３）とは、上部と周囲を囲んだ無底の物であってもよく、素材は、金属製の蓋体であってもよく、さらに、アルミホイルで逆椀状に形成したものでもよい。
【００１８】
牡蠣（Ｘ）の身の中の温度は、８５°Ｃで、時間は、１分３０秒以上の加熱を要するものである。なお、６５°Ｃではノロウィルス菌を絶滅するには無理である。
【産業上の利用可能性】
【００１９】
この考案の二枚貝の焼き具の技術を確立し、製造、販売する事で、多くの関係市場に寄与することにより、産業上の利用可能性を有する。
【符号の説明】
【００２０】
１  燃焼器
２  アミ、あるいは、板材に穴を無数に開けた敷板
３  被覆材
Ｘ  牡蠣等の二枚貝
【図１】
0003175820.tif 000003
【図２】
0003175820.tif 000004
(57)【要約】      （修正有）【課題】簡単に美しく首筋に沿わせて作る上衣の襟裏ニットを提供する。【解決手段】上衣の襟裏をニット１０使いによりニット１０の伸縮を生かして簡単に襟作りができる。【選択図】図１
0003175815.tif 000002
【実用新案登録請求の範囲】
【請求項１】
上衣の襟裏にニット地を使った構造。
【考案の詳細な説明】
【技術分野】
【０００１】この考案は、上衣の襟がより首筋に簡単にフイットし色柄等も豊富でおしゃれな使い方が出来る。
【背景技術】
【０００２】上衣の襟裏にニット地を使うと縦横共に動きがあるため簡単に襟を添わせることができより首筋にフイットする。
【考案が解決しようとする課題】
【０００３】従来の襟裏は織物及びフェルトタイプで伸縮性がなく襟を添わせるには技術が要りましたまた襟裏地も無地物が大半で柄等は選ぶことができませんでした。
【考案の結果】
【０００４】上衣の襟裏をニット地にすることにより襟作り作業が簡単にできるため熟練者に頼ることなく誰でも美しい仕上がりになる。
【図面の簡単な説明】
【０００５】
【図１】上衣の襟裏ニット
【図２】上衣の襟裏カラークロス及びフェルテース
【符号の説明】
【０００６】１０  ニット１１  カラークロス及びフェルテース１２  表地
【図１】
0003175815.tif 000003
【図２】
0003175815.tif 000004
(57)【要約】      （修正有）【課題】デザート類（ゼリー類）などを組み合わせて装飾した冠婚葬祭用盛り篭用収納台を提供する。【解決手段】冠婚葬祭用盛り篭用収納台は、デザート類などの容器入り供物を収納可能とした複数の凹所を有している。また、容器はカップ状の容器であり、その径が上面から底面側に向かって小さくなるように形成されており、凹所の径が開口部から底部側に向かって小さくなるように形成されている。【選択図】図１
0003175846.tif 000002
【実用新案登録請求の範囲】
【請求項１】
供物が収納される盛り籠用収納台であって、容器入り供物を収納可能とした複数の凹所を有する収納部を備え、前記容器はカップ状の容器であり、その径が上面から底面側に向かって小さくなるように形成されており、前記凹所の径が開口部から底部側に向かって小さくなるように形成されていることを特徴とする冠婚葬祭用盛り籠用収納台。
【請求項２】
前記収納部は、全体が透明フィルムが覆われており、前記収納部の周辺を覆う前記透明フィルム部分に葬儀用花柄が施されていることを特徴とする請求項１記載の冠婚葬祭用盛り籠用収納台。
【考案の詳細な説明】
【技術分野】
【０００１】
この考案は、今日まで故人が日常好み、お茶菓子として食してこられたデザート類（ゼリー類）などを組み合わせて装飾した冠婚葬祭用盛り篭収納台を提供するものである。
【背景技術】
【０００２】
伝統的な仏教による一般的な葬祭において、故人に対する弔意と供養の気持ちをこめて祭壇の周囲に配され、霊前に供えられる生花や花輪、または線香・果物等は、故人を慰めようとする縁者や関係者にとって欠くことのできないものとなっている。    
【考案の概要】
【考案が解決しようとする課題】
【０００３】
ところで、故人が生前、好物としていたお茶菓子等は、お供えされ、飾られた後にそれらを戴くことで故人を偲ぶものとしているが、冠婚葬祭用盛り籠収納台にデザート類（ゼリー類）などを用いた形態のものが望まれている。
【課題を解決するための手段】
【０００４】
この考案の冠婚葬祭用盛り籠用収納台は、供物が収納される盛り籠用収納台であって、容器入り供物を収納可能とした複数の凹所を有する収納部を有することを特徴とする。また、前記容器はカップ状の容器であり、その径が上面から底面側に向かって小さくなるように形成されており、前記凹所の径が開口部から底部側に向かって小さくなるように形成されていることを特徴とする。
【考案の効果】
【０００５】
この考案による冠婚葬祭用盛り籠収納台によれば、お供えしたデザート類などのカップ入り供物を食す事ができ、関係者等に配布し、故人を偲び供養することができる。祭壇の供花としても供えることも可能であり、生花や造花に劣ることのないものと思われる。
さらに、一回忌等の供養の際にも、装飾可能である。本体に装着させる供物としてのデザート類などカップ入り供物は、豊富であり、関係者の希望に副えるものである。よって、価格の幅が広まり、安価での提供も可能となる。しかも、デザート類を装着させる盛り籠収納台は、それを外した後には再利用するものである。
【図面の簡単な説明】
【０００６】
【図１】本考案に係る冠婚葬祭用盛り籠収納台の平面図である。
【図２】冠婚葬祭用盛り籠収納台に収納される供物の形状を示す図である。
【図３】本考案に係る冠婚葬祭用盛り籠収納台の断面図である。
【図４】冠婚葬祭用盛り籠収納台全体を被うフィルム等の図柄の一例である。
【図５】冠婚葬祭用盛り籠収納台全体を被うフィルム等の図柄の他の例である。
【図６】冠婚葬祭用盛り籠収納台全体を台にセットしたイメージ図である。
【考案を実施するための形態】
【０００７】
この考案に係る冠婚葬祭用盛り籠用収納台の実施の形態を、図面に基づいて説明する。
【０００８】
図１、図３において、１は盛り籠用収納台であり、供物としてのカップ状容器に入ったデザート類などを収納する複数の凹所２を備えた収納部を有する。
凹所２の径は、開口部から底部側に向かって小さくなるように形成されている。
【０００９】
図２は、デザート類などの容器入り供物３の形状を示す。
【００１０】
デザート類（ゼリー類など）の供物（カップ入り供物）となるカップ状容器は、容器の径が上面から底面側に向かって小さくなるように形成されている。盛り籠用収納台１は、円形状の受け皿様構造となっており、樹脂などで形成されている。複数の凹所２を備える収納部も樹脂などで形成されている。
【００１１】
凹所２にカップ状の供物３が収納された後、図４又は図５に示されるような絵柄（収納された供物の周囲に葬儀用花柄）などが施された透明フィルムなどで、盛り籠用収納台１の全体が覆うように飾りつけられる。盛り籠用収納台１を覆う透明フィルムの絵柄以外の部分は、収納物が見えるように透明なシートとなっており、そのサイズは、全体を被いセットした品の落下を防げる程度のものとする。
【００１２】
また、図６に示すように、盛り篭上部にアレンジされた生花等、及びアレンジされた造花等を装飾するようにしてもよい。
【産業上の利用可能性】
【００１３】
新規な盛り籠用収納台として、冠婚葬祭用などに利用できる。
【符号の説明】
【００１４】
１    盛り籠用収納台
２    凹所
３    容器入り供物
【図１】
0003175846.tif 000003
【図２】
0003175846.tif 000004
【図３】
0003175846.tif 000005
【図４】
0003175846.tif 000006
【図５】
0003175846.tif 000007
【図６】
0003175846.tif 000008
(57)【要約】      （修正有）【課題】除雪や砂利の移動や遠投に伴う作業の効率化と体力的負担の軽減を目的とする用具であり構造が簡単で誰でも安全に使用できる遠投具を提供する。【解決手段】やや柔軟性のある円筒棒状形プラスチック等のパイプ握り部に滑り止め加工を施しその先端部に取替え可能な雪や砂利などを取り込むシャベル状の器具を垂直方向に連接したことを特徴とする構成である。【選択図】図１
0003175838.tif 000002
【実用新案登録請求の範囲】
【請求項１】
やや柔軟性のあるプラスチック等の軽量素材で成型された円筒棒状形の握り柄に滑り止め加工を施しその先端部に雪や砂利などを取り込むプラスチックやアルミニューム等で成型されたシャベル状の器具を垂直方向に連接したことを特徴とする粒状物その他の遠投具である。
【考案の詳細な説明】
【技術分野】
【０００１】
本考案は除雪時の雪及び砂利などを遠心力・慣性・反発力を利用し体力的負担を少なく、できるだけ遠投する為の雪及び砂利などの遠投具に関するものである。
【背景技術】
【０００２】
住宅周りの雪かきや砂利・砂などの移動作業では、従来のスコップなどはあまり遠投あるいは高所への雪投げができなかった為運搬作業が必要であった、また添える方の腕や腰への体力的負担が大きく非効率であった。  
【先行技術文献】
【特許文献】
【０００３】
【特許文献１】登録実用新案第３０９７４４９号広報
【考案の概要】
【考案が解決しようとする課題】
【０００４】
従来の除雪用スコップ・砂利用シャベルなどは押して・持ち上げ・投げあるいは運び・
捨てる・作業の繰り返しであるが、添える腕や腰への体力的負担が大であり、遠投できなかったため運搬車その他の手段が必要であった。したがってその場から高所遠投ができることによりにより除雪時には次回の雪捨て場を広く確保でき砂利などの移動時の体力負担を少なく効率的に、かつ手軽な用具で安全に作業できることを可能にするものである。      
【課題を解決するための手段】
【０００５】
上述した目的を達成させるため、本考案はやや柔軟性のある円筒棒状形プラスチック等のパイプの握り柄部に滑り止め加工を施しその先端部に雪や砂利などを取り込むシャベル状の器具を垂直方向に連接したことを特徴とする構成である。
【考案の効果】
【０００６】
本考案の構成により積雪時の雪または砂利など集積が容易に出来、連続作業により雪や砂利や砂の高所遠投が体力負担が少なく効率的かつ安全、簡単にできるものである。  
【図面の簡単な説明】
【０００７】
【図１】本考案用具の分解斜視図
【図２】本考案用具の側面図
【考案を実施するための形態】
【０００８】
本考案は高さ約３０センチ、幅約３０〜４０センチのアルミニュームまたはプラスチック等で成型されたシャベル部１と長さ約1，7メートルから１，５メートル、直径３０ミリ前後のやや弾性のあるプラスチック等軽量素材で成型された円筒棒状形パイプ２を３の滑り止め処理を施し２の先端を４の差込口に垂直方向に装着し５の固定用ピンで一体としたものである。
【０００９】
上記の形態により雪や砂利などの集積が容易で、シャベル部１に目標地点から遠い方の足元から雪や砂利を取り込みそのまま２の柄上側の手で遠投目標方向斜め上方へ引き上げると同時に下側の手を押し上げるようにする、シャベル部先端が目標方向へ向いた時点で２の柄下側の手で動きを止めてやると慣性力により雪がシャベル部１から飛び出し遠投できる。より遠くへ飛ばせたいときは体の後方から雪や砂利を取り込み上記作業と同時に上半身を回転させると遠心力と下の手を止めたとき握り柄のしなりの反発により遠くへ飛ばせるものである。
【符号の説明】
【００１０】
１シャベル部
２円筒形棒状形柄部
３滑り止め加工部
４円筒形棒状形柄差込部
５固定用ピン部
【図１】
0003175838.tif 000003
【図２】
0003175838.tif 000004
(57)【要約】      （修正有）【課題】ノート、書籍類のページ余白部分に見出し用の切り込みを入れ、その切り込みを折り曲げることにより見出しとすることが出来る、見出し作成カッターを形成する。【解決手段】見出し片とする任意形状な切り込みを任意なところに入れる板状のカッター１と、丸棒状で一方の端はメネジを設け、もう片方の端上部は径を大きくしたカッターホルダー２と、前記カッターとカッターホルダーを止めるボルト３並びにカッターホルダーを上下に移動させるためのカッターホルダー可動バネ４と、カッターとカッターホルダーを保持するコノ字形本体５と、このコノ字形本体の上片部にはカッターホルダーを通す円形孔６を設ける。また、下片部には、カッターと同じ形状でカッター刃と接触しないカッター下刃用の孔を設けてノート、書籍類の見出し作成カッターを形成する。【選択図】図１
0003175835.tif 000002
【実用新案登録請求の範囲】
【請求項１】
見出し片とする任意形状な切り込みを任意なところに入れる板状のカッターと、丸棒状で一方の端はメネジを設け、もう片方の端上部は径を大きくしたカッターホルダーと、前記カッターとカッターホルダーを止めるボルト並びにカッターホルダーを上下に移動させるためのカッターホルダー可動バネと、カッターとカッターホルダーを保持するコノ字形本体と、このコノ字形本体の上片部にはカッターホルダーを通す円形孔を設け、下片部には、カッターと同じ形状でカッター刃と接触しないカッター下刃用の孔を設けたことを特徴とするノート、書籍類の見出し作成カッター。
【考案の詳細な説明】
【技術分野】
【０００１】
既存のノート、書籍類の見出し、しおりに関するものである。
【背景技術】
【０００２】
従来の見出しは、しおり、付箋及び各ページに切り込み点線等が入っているものがある。
【考案の概要】
【考案が解決しようとする課題】
【０００３】
ノート、書籍類の記入内容を整理分類し見つけ安くするためには、別に市販されているしおり、付箋を購入し、ノート、書籍類に挟む或いは貼らなければならない。
市販のしおり付箋を持ち合わせしていない時、見出しをその場で作ることは困難である。
【課題を解決するための手段】
【０００４】
本考案は、見出し片とする任意形状な切り込みを任意なところに入れる板状のカッターと、丸棒状で一方の端はメネジを設け、もう片方の端上部は径を大きくしたカッターホルダーと、前記カッターとカッターホルダーを止めるボルト並びに、カッターホルダーを上下に可動させるためのカッターホルダー可動バネと、さらにカッターとカッターホルダーを保持するコノ字形本体があり、このコノ字形本体の上片部にはカッターホルダーを通す円形孔を設け、下片部にはカッターと同じ形状でカッター刃と接触しないカッター下刃用の孔を設けたことを特徴とする、見出し作成カッターである。
【考案の効果】
【０００５】
小型軽量携帯可能なため、ノート、書籍類の余白を使って、いつでも何処でも必要な時に簡単に見出しを作ることが出来る。
【図面の簡単な説明】
【０００６】
【図１】全体構成図及び図２Ａ−Ａ線断面図
【図２】平面図
【図３】カッターを表す図であり、（１）は平面図、(２)は正面図、（３）は右側面図
【図４】ページ紙余白の見出し作成図
【考案を実施するための最良の形態】
【０００７】
ノート、書籍類の各ページ紙の上部、または横余白部８の任意な所に、任意な形状で線状の切り込み線１０を入れることの出来る、見出し作成カッター1において、カッター1とカッターホルダー２を固定するボルト３があり、カッターホルダーの形状として、丸棒状で一方の端にメネジがあり、もう片方の端上部はカッターホルダー可動バネを止めるため径を大きくした形状となっている。カッター１の任意形状としては、コノ字形、Ｕ字形、Ｖ字形のカッターが良い。さらにカッター刃先には紙を切りやすくするための形状として、カッター刃部の傾斜９を付ける。そしてカッターホルダー2を保持するためコノ字形本体５を設け、さらにコノ字形本体5の上片部にはカッターホルダー２を取り付けるためのカッターホルダー孔6を設け、下片部にはカッター１と同じ形状をしたカッター下刃用孔7を設ける。これにより、カッター１はこの場合上刃となり、これに対応する下刃はカッター下刃用孔７の上部となる。ページ紙余白８に見出し作成用の切り込み線を入れるには、カッター１とコノ字形本体５の下片部上面の間にページ紙余白８を差し込み、カッター１を下げることにより、ページ紙余白８に切り込み線１０が入る、この時ページ紙余白８には切り込み残１１が出来る。次にページ紙余白８の切り込み線１０の内部の余白紙を外側に折り曲げると共に、ページ紙の端１から外側に出すことにより、見出し１３とすることが出来る、この時ページ紙余白８には切り抜き孔１２が出来る。また見出し１３がページ紙端１４より、はみ出す長さは、本体上面のメモリー線１５により調整出来る。
【符号の説明】
【０００８】
１    カッター
２    カッターホルダー
３    カッター取り付けボルト
４    カッターホルダー可動バネ
５    コノ字形本体
６    カッターホルダー用孔
７    カッター下刃用孔
８    ページ紙余白部
９    カッター刃部の傾斜
１０  切り込み線
１１    切り込み残
１２    切り抜き孔
１３    見出し
１４    ページの端
１５    メモリー線
【図１】
0003175835.tif 000003
【図２】
0003175835.tif 000004
【図３】
0003175835.tif 000005
【図４】
0003175835.tif 000006